(57)【特許請求の範囲】
【請求項１】
対向する一対の側板間に支持された軸に回転自在に装着され、外周面に溝が形成されてなる円盤と、前記側板に取り付けられた吊り具とを備え、前記円盤の外周面にワイヤーロープをかけ渡して用いる滑車において、
設定長さの直状部と該直状部に連なり螺旋状に複数回巻回された螺旋部とを有する金属ワイヤーからなる保護具を備え、該保護具の前記直状部は先端が前記側板に形成された取り付け穴に揺動可能に係止され、前記螺旋部は前記ワイヤーロープに巻き付け可能な螺旋ピッチ及び螺旋径に形成されてなり、
前記取り付け穴は、前記円盤にかけ渡された前記ワイヤーロープの片側が水平に巻き付けられた状態における円盤との接点に対応する前記側板の吊り具近傍に設けられ、
前記直状部は、該直状部を取り付け穴周りに揺動させた際に前記螺旋部が前記側板に干渉しない長さで形成され、
前記螺旋部は、前記直状部の長さ方向に該直状部よりも大きな長さで形成されることを特徴とする保護具を備えた滑車。
【請求項２】
前記保護具は、前記円盤の外周から離れた位置に対向させて一対設けられることを特徴とする請求項１に記載の保護具を備えた滑車。
【発明の詳細な説明】
【技術分野】
【０００１】
本発明は、滑車に係り、特に滑車とワイヤーロープとの間に手指などが巻き込まれる巻き込まれ事故防止のための保護具を備えた滑車に関する。
【背景技術】
【０００２】
送電工事において、対向する一対の側板間に支持された軸に回転自在に装着され、外周面に溝が形成されてなる円盤と、側板に取り付けられた吊り具とを備え、円盤の外周面にワイヤーロープをかけ渡して用いる滑車が使用されることが多い。
【０００３】
特に、送電鉄塔の組み立てにおいて、送電鉄塔の構成物品を吊り上げるために使用される。滑車の吊り具を、組み立て途中の送電鉄塔の腕金に取り付け、ワイヤーロープの一端に送電鉄塔の腕金等の物品を吊り下げ、滑車を介して他端を地上の巻き上げ機で巻き取る。作業者は、組み立て途中の送電鉄塔の腕金上で送電鉄塔の構成物品を受け取る。
【発明の概要】
【発明が解決しようとする課題】
【０００４】
このとき作業者は、ワイヤーロープに手をかけて吊り上げ物品を誘導するが、誘導中も地上の巻き上げ機による巻き取りが行われている。このため、作業者が気付かない間に、ワイヤーロープにかけた手が滑車に巻き込まれ、重大な事故につながることがあった。特に、高所での作業となるため、作業者は足場の悪い中で自身の安全に注意を払う必要があり、ワイヤーロープにかけた手にまで注意が行き届かないことが多いことから、このような事故が後を絶たなかった。
【０００５】
また、事故防止策としては注意喚起等しかなく、具体的な対策は講じられていなかった。
【０００６】
本発明が解決しようとする課題は、巻き込まれ事故を防止できる滑車を提供することにある。
【課題を解決するための手段】
【０００７】
上記課題を解決するため、本発明は、対向する一対の側板間に支持された軸に回転自在に装着され、外周面に溝が形成されてなる円盤と、側板に取り付けられた吊り具とを備え、円盤の外周面にワイヤーロープをかけ渡して用いる滑車において、設定長さの直状部と該直状部に連なり螺旋状に複数回巻回された螺旋部とを有する金属ワイヤーからなる保護具を備え、該保護具の直状部は先端が側板に形成された取り付け穴に揺動可能に係止され、螺旋部はワイヤーロープに巻き付け可能な螺旋ピッチ及び螺旋径に形成されてなり、前記取り付け穴は、前記円盤にかけ渡された前記ワイヤーロープの片側が水平に巻き付けられた状態における円盤との接点に対応する前記側板の吊り具近傍に設けられ、前記直状部は、該直状部を取り付け穴周りに揺動させた際に前記螺旋部が前記側板に干渉しない長さで形成され、前記螺旋部は、前記直状部の長さ方向に該直状部よりも大きな長さで形成されることを特徴とする。
【０００８】
本発明によれば、巻き取るにつれてワイヤーロープにかけられた作業者の手が滑車方向に誘導されても、手が保護具の螺旋部に触れることにより、作業者が気付いてワイヤーロープから手を離すことができる。また、保護具の螺旋部は作業者に視認されやすいので、作業者はより早く滑車への接近に気付くことができる。さらに、保護具は、螺旋状の金属ワイヤーで形成されているため、ワイヤーロープが滑車に巻き込まれる直前に、螺旋部から見て、ワイヤーロープの外表面に損傷がないか等の状態を視認することができる。なお、直状部及び螺旋部の長さは、滑車の円盤や側板の大きさに応じて設定するのが好ましい。また、直状部の長さは、螺旋部が側板と干渉しない程度に設定することが好ましい。滑車は定滑車、動滑車でもよい。
【０００９】
また、保護具は、滑車の側板に形成された取り付け穴に係止されるようになっているため、既存の滑車の側板に取り付け穴を形成すればよく、汎用性が高く、取り付けも容易である。
【００１０】
保護具の取り付けは、作業者が、例えばＵ字型に曲げられた金属ワイヤーの一端を滑車の取り付け穴に通して回転させることにより係止し、さらに、螺旋部をワイヤーロープに巻き付けて行われる。螺旋径は、作業者が手で螺旋部をワイヤーロープに巻きつけられるように、ワイヤーロープの太さから決めることが好ましい。螺旋ピッチは、ワイヤーロープが視認できる程度であればよい。なお、保護具は、ステンレス鋼で直径３ｍｍ程度のものが扱い易く、螺旋径はワイヤーロープの直径の３倍程度であるとなお好ましい。
【００１１】
この場合において、保護具は、円盤の外周から離れた位置に対向させて一対設けられ、保護具の直状部が係止される取り付け穴は、円盤に巻き付けられるワイヤーロープの位置に対応させて、具体的には側板の、ワイヤーロープと円盤との接点近傍に設ければよい。
【発明の効果】
【００１２】
本発明によれば、巻き込まれ事故を防止できる滑車を提供できる。
【図面の簡単な説明】
【００１３】
【図１】（ａ）は、本発明の保護具を備える前の滑車の実施例の側面図であり、（ｂ）は、本発明の保護具を備える前の滑車の実施例の正面図であり、（ｃ）は、本発明の保護具の構成図である。
【図２】（ａ）は、本発明の保護具を備えた滑車の実施例の側面図であり、（ｂ）は、本発明の保護具を備えた滑車の実施例の正面図である。
【図３】本発明の保護具を備えた滑車のワイヤーロープの角度を広げて使用する実施例の正面図である。
【発明を実施するための形態】
【実施例】
【００１４】
以下、本発明の保護具を備えた滑車の実施例について、図面を参照して説明する。図１（ａ）、（ｂ）に示すように、本実施例の滑車２は、対向する一対の側板４間に支持されたピン６に回転自在に装着され、外周面に溝が形成されてなる円盤８と、円盤８の外周から離れた位置に対向させて側板４に取り付けられた吊り具１０とを備え、円盤８の外周面にワイヤーロープ１２をかけ渡して用いるように構成されている。滑車２の全長は約３００ｍｍで、横幅は約１１５ｍｍであり、ワイヤーロープ１２の直径は約１０ｍｍである。
【００１５】
また、滑車２は止めフック３を備え、止めフック３を外すと、基端５を軸として開口部７が開口し、そこからワイヤーロープ１２を入れて円盤８にかけ渡すようになっている。また、側板４の吊り具１０の反対側の端には、側板４間に支持されたコロ９があり、ボルトナット１１で側板４に固定されるようになっている。
【００１６】
ここで、本実施例の特徴となる構成、作用について説明する。本実施例の特徴は、図１（ｃ）に示すように、設定長さ（本実施例では９０ｍｍ）の直状部１４と、直状部１４に連なり螺旋状に複数回巻回された螺旋部１６（本実施例では２６０ｍｍ）とを有する金属ワイヤーからなる保護具１８（本実施例では３５０ｍｍ）である。
【００１７】
直状部１４の長さは、螺旋部１６が側板４と干渉しない程度に設定されている。保護具１８の金属ワイヤーはステンレス鋼で、直径約３ｍｍである。
【００１８】
また、保護具１８の直状部１４は、先端が側板４に形成された取り付け穴２０に揺動可能に係止され、螺旋部１６はワイヤーロープ１２に巻き付け可能な螺旋ピッチ及び螺旋径に形成されている。本実施例の螺旋部１６の螺旋径はワイヤーロープ１２の直径のおよそ３倍に相当する約２５ｍｍであり、螺旋ピッチは約３０ｍｍである。図２において、取り付け穴２０は、２枚の側板４にそれぞれ設けられている。
【００１９】
取り付け穴２０は、円盤８に巻き付けられるワイヤーロープ１２の位置に対応させて側板４に穿設されている。本実施例では、側板４の吊り具１０近傍に設けている。
【００２０】
保護具１８の取り付けは、作業者がＵ字型に曲げられた金属ワイヤーの一端を取り付け穴２０に通して回転させることにより係止し、さらに、螺旋部１６をワイヤーロープ１２に巻き付けて行われる。
【００２１】
このようにして保護具１８を取り付けた滑車２は、送電鉄塔の組み立てにおいて、送電鉄塔の構成物品を吊り上げるために使用される。滑車２の吊り具１０を、組み立て途中の送電鉄塔の腕金に取り付け、ワイヤーロープ１２の一端に送電鉄塔の腕金等の物品を吊り下げ、滑車２を介して他端を地上の巻き上げ機で巻き取る。作業者は、組み立て途中の送電鉄塔の腕金上で送電鉄塔の構成物品を受け取る。このとき作業者は、ワイヤーロープ１２に手をかけて吊り上げ物品を誘導するが、誘導中も地上の巻き上げ機による巻き取りが行われている。このため、作業者は足場の悪い中で自身の安全に注意を払うとともに、ワイヤーロープ１２にかけた手が巻き込まれないように注意する必要がある。
【００２２】
ここで、本実施例によれば、巻き取るにつれてワイヤーロープ１２にかけられた作業者の手が滑車２方向に誘導されても、手が保護具１８の螺旋部１６に触れることにより、作業者が気付いてワイヤーロープ１２から手を離すことができる。また、保護具１８の螺旋部１６は作業者に視認されやすいので、作業者はより早く滑車２への接近に気付くことができる。さらに、保護具１８は、螺旋状の金属ワイヤーで形成されているため、ワイヤーロープ１２が滑車２に巻き込まれる直前に、螺旋部１６から見て、ワイヤーロープ１２の外表面に損傷がないか等の状態を視認することができる。
【００２３】
また、保護具１８は、滑車２の側板４に形成された取り付け穴２０に係止されるようになっているため、既存の滑車２の側板４に取り付け穴２０を形成すればよく、汎用性が高く、取り付けも容易である。
【００２４】
また、図３に示すように、ワイヤーロープ１２間の角度を大きくした状態で使用する場合にも対応することができる。
【００２５】
以上、本実施例について説明したが、本発明は、これらに限らず適宜構成を変更して適用することができる。例えば、滑車２は定滑車でも動滑車でもよい。
【００２６】
また、取り付け穴２０を複数設けて、滑車２の使用状態により、保護具１８を係止する穴を変えてもよい。また、滑車２及び保護具１８の大きさは本実施例に限らず、適宜変更することができる。また、螺旋の回転方向は右回り、左回りのいずれでもよい。
【符号の説明】
【００２７】
２  滑車
４  側板
６  ピン
８  円盤
１０  吊り具
１２  ワイヤーロープ
１４  直状部
１６  螺旋部
１８  保護具
【図１】
0005578840.tif 000002
【図２】
0005578840.tif 000003
【図３】
0005578840.tif 000004